【手続補正書】
【提出日】平成26年12月12日(2014.12.12)
【手続補正１】
【補正対象書類名】特許請求の範囲
【補正対象項目名】全文
【補正方法】変更
【補正の内容】
【特許請求の範囲】
【請求項１】
ロケーション・サービスをサポートする方法であって、
第１の無線アクセス・ネットワーク（ＲＡＮ）から第２のＲＡＮへのユーザ機器（ＵＥ）のハンドオーバの指示を受信すること、前記ＵＥが、前記ハンドオーバより前に前記第１のＲＡＮを介してソース・サービング・ノードによってサービスされ、前記ハンドオーバ後に前記第２のＲＡＮを介してターゲット・サービング・ノードによってサービスされる、と、
前記ハンドオーバが完了した後に、前記ＵＥのロケーション・サービスをサポートするために、前記ターゲット・サービング・ノードの識別情報をターゲット・ロケーション・サーバに送信すること、前記ＵＥの前記ロケーション・サービスは、前記ハンドオーバ後に前記第２のＲＡＮを介して提供される、と、
を備える方法。
【請求項２】
前記ハンドオーバが行われるとき、前記ＵＥが緊急呼を有する請求項１に記載の方法。
【請求項３】
ハンドオーバの前記指示を前記受信することと、前記ターゲット・サービング・ノードの前記識別情報を前記送信することとが、前記ターゲット・サービング・ノードによって実行される請求項１に記載の方法。
【請求項４】
前記第１のＲＡＮがパケット交換呼をサポートし、前記第２のＲＡＮが回線交換呼をサポートし、ハンドオーバの前記指示を前記受信することと、前記ターゲット・サービング・ノードの前記識別情報を前記送信することとが前記ソース・サービング・ノードによって実行される請求項１に記載の方法。
【請求項５】
ソース・ロケーション・サーバを使用して、前記ハンドオーバより前に前記ＵＥのロケーション・サービスをサポートすることをさらに備える請求項４に記載の方法。
【請求項６】
前記ターゲット・サービング・ノードが、モビリティ管理エンティティ（ＭＭＥ）、またはサービングＧＰＲＳサポートノード（ＳＧＳＮ）、またはモバイル交換センター（ＭＳＣ）、またはＭＳＣサーバを備える請求項１に記載の方法。
【請求項７】
前記ロケーション・サーバが、ゲートウェイモバイルロケーション・センター（ＧＭＬＣ）、またはモバイル測位センター（ＭＰＣ）、またはロケーション及びルーティング機能（ＬＲＦ）を備える請求項１に記載の方法。
【請求項８】
前記第１のＲＡＮと前記第２のＲＡＮとがパケット交換呼をサポートするか、または前記第１のＲＡＮがパケット交換呼をサポートし、前記第２のＲＡＮが回線交換呼をサポートする請求項１に記載の方法。
【請求項９】
前記第１のＲＡＮが第１の無線アクセス技術（ＲＡＴ）をサポートし、前記第２のＲＡＮが、前記第１のＲＡＴとは異なる第２のＲＡＴをサポートする請求項１に記載の方法。
【請求項１０】
ロケーション・サービスをサポートするための装置であって、
第１の無線アクセス・ネットワーク（ＲＡＮ）から第２のＲＡＮへのユーザ機器（ＵＥ）のハンドオーバの指示を受信するための手段、前記ＵＥが、前記ハンドオーバより前に前記第１のＲＡＮを介してソース・サービング・ノードによってサービスされ、前記ハンドオーバ後に前記第２のＲＡＮを介してターゲット・サービング・ノードによってサービスされる、と、
前記ハンドオーバが完了した後に、前記ＵＥのロケーション・サービスをサポートするために、前記ターゲット・サービング・ノードの識別情報をターゲット・ロケーション・サーバに送信するための手段、前記ＵＥの前記ロケーション・サービスは、前記ハンドオーバ後に前記第２のＲＡＮを介して提供される、と、
を備える装置。
【請求項１１】
ハンドオーバの前記指示を受信するための前記手段と前記ターゲット・サービング・ノードの前記識別情報を送信するための前記手段とが前記ターゲット・サービング・ノード用である請求項１０に記載の装置。
【請求項１２】
ロケーション・サービスをサポートするための装置であって、
第１の無線アクセス・ネットワーク（ＲＡＮ）から第２のＲＡＮへのユーザ機器（ＵＥ）のハンドオーバの指示を受信すること、前記ＵＥが、前記ハンドオーバより前に前記第１のＲＡＮを介してソース・サービング・ノードによってサービスされ、前記ハンドオーバ後に前記第２のＲＡＮを介してターゲット・サービング・ノードによってサービスされる、と、
前記ハンドオーバが完了した後に、前記ＵＥのロケーション・サービスをサポートするために前記ターゲット・サービング・ノードの識別情報をターゲット・ロケーション・サーバに送信すること、前記ＵＥの前記ロケーション・サービスは、前記ハンドオーバ後に前記第２のＲＡＮを介して提供される、と、
を行うように構成された少なくとも１つのプロセッサを備える、装置。
【請求項１３】
前記装置が前記ターゲット・サービング・ノード用である請求項１２に記載の装置。
【請求項１４】
少なくとも１つのコンピュータに、第１の無線アクセス・ネットワーク（ＲＡＮ）から第２のＲＡＮへのユーザ機器（ＵＥ）のハンドオーバの指示を受信させるためのコード、前記ＵＥが、前記ハンドオーバより前に前記第１のＲＡＮを介してソース・サービング・ノードによってサービスされ、前記ハンドオーバ後に前記第２のＲＡＮを介してターゲット・サービング・ノードによってサービスされる、と、
前記少なくとも１つのコンピュータに、前記ハンドオーバが完了した後に、前記ＵＥのロケーション・サービスをサポートするために前記ターゲット・サービング・ノードの識別情報をターゲット・ロケーション・サーバに送信させるためのコード、前記ＵＥの前記ロケーション・サービスは、前記ハンドオーバ後に前記第２のＲＡＮを介して提供される、と、
を備える非一時的なコンピュータ可読の記憶媒体。
【請求項１５】
ロケーション・サービスをサポートする方法であって、
ハンドオーバが完了した後に、ターゲット・ロケーション・サーバにおいてユーザ機器（ＵＥ）のターゲット・サービング・ノードの識別情報を受信すること、前記ＵＥが、第１の無線アクセス・ネットワーク（ＲＡＮ）から第２のＲＡＮへの前記ハンドオーバを実行し、前記ＵＥが、前記ハンドオーバより前に前記第１のＲＡＮを介してソース・サービング・ノードによってサービスされ、前記ハンドオーバ後に前記第２のＲＡＮを介して前記ターゲット・サービング・ノードによってサービスされる、と、
前記ターゲット・ロケーション・サーバによって、前記ハンドオーバ後に、前記ＵＥのロケーション・サービスをサポートすることと
を備える、方法。
【請求項１６】
前記ハンドオーバが行われるとき、前記ＵＥが緊急呼を有する請求項１５に記載の方法。
【請求項１７】
前記ターゲット・サービング・ノードの前記識別情報が前記ターゲット・サービング・ノードから受信される請求項１５に記載の方法。
【請求項１８】
前記第１のＲＡＮがパケット交換呼をサポートし、前記第２のＲＡＮが回線交換呼をサポートし、ソース・ロケーション・サーバによって、前記ハンドオーバ前に前記ＵＥのロケーション・サービスをサポートすることをさらに備える請求項１５に記載の方法。
【請求項１９】
前記ターゲット・サービング・ノードの前記識別情報が前記ソース・サービング・ノードから受信される請求項１８に記載の方法。
【請求項２０】
前記ターゲット・ロケーション・サーバによって前記ターゲット・サービング・ノードの前記識別情報を用いてロケーション及びルーティング機能（ＬＲＦ）を更新することをさらに備える請求項１５に記載の方法。
【請求項２１】
ロケーション・サービスをサポートするための装置であって、
ハンドオーバが完了した後に、ロケーション・サーバにおいてユーザ機器（ＵＥ）のターゲット・サービング・ノードの識別情報を受信するための手段であって、前記ＵＥが、第１の無線アクセス・ネットワーク（ＲＡＮ）から第２のＲＡＮへの前記ハンドオーバを実行し、前記ＵＥが、前記ハンドオーバより前に前記第１のＲＡＮを介してソース・サービング・ノードによってサービスされ、前記ハンドオーバ後に前記第２のＲＡＮを介して前記ターゲット・サービング・ノードによってサービスされる、受信するための手段と、
前記ターゲット・ロケーション・サーバによって、前記ハンドオーバ後に、前記ＵＥのロケーション・サービスをサポートするための手段と、
を備える装置。
【請求項２２】
前記ターゲット・ロケーション・サーバによって前記ターゲット・サービング・ノードの前記識別情報を用いてロケーション及びルーティング機能（ＬＲＦ）を更新するための手段をさらに備える請求項２１に記載の装置。
【請求項２３】
ロケーション・サービスをサポートする方法であって、
ハンドオーバが完了した後に、ロケーション及びルーティング機能（ＬＲＦ）においてユーザ機器（ＵＥ）のターゲット・サービング・ノードの識別情報を受信すること、前記ＵＥが、第１の無線アクセス・ネットワーク（ＲＡＮ）から第２のＲＡＮへの前記ハンドオーバを実行し、前記ＵＥが、前記ハンドオーバより前に前記第１のＲＡＮを介してソース・サービング・ノードによってサービスされ、前記ハンドオーバ後に前記第２のＲＡＮを介して前記ターゲット・サービング・ノードによってサービスされる、と、
前記ハンドオーバ後に前記ＵＥのロケーション・サービスをサポートするためのターゲット・ロケーション・サーバを判断することと
を備える方法。
【請求項２４】
前記ＬＲＦが、前記ハンドオーバの前及び後に前記ＵＥの緊急呼をサポートする請求項２３に記載の方法。
【請求項２５】
前記ターゲット・サービング・ノードの前記識別情報が前記ターゲット・ロケーション・サーバから受信される請求項２３に記載の方法。
【請求項２６】
前記第１のＲＡＮがパケット交換呼をサポートし、前記第２のＲＡＮが回線交換呼をサポートし、前記ターゲット・サービング・ノードの前記識別情報が、前記ハンドオーバより前に前記ＵＥのロケーション・サービスをサポートするソース・ロケーション・サーバから受信される請求項２３に記載の方法。
【請求項２７】
前記ソース・ロケーション・サーバから前記ＵＥの識別情報を受信することと、
前記ＵＥの前記識別情報を前記ＬＲＦから前記ターゲット・ロケーション・サーバに転送することと
をさらに備える請求項２６に記載の方法。
【請求項２８】
ソース・ロケーション・サーバが前記ターゲット・ロケーション・サーバとは異なる場合、前記ソース・ロケーション・サーバを前記ターゲット・ロケーション・サーバと交換することをさらに備える請求項２３に記載の方法。
【請求項２９】
前記ターゲット・サービング・ノードの前記識別情報に基づいて前記ＵＥのロケーション・セッションを開始することをさらに備える請求項２３に記載の方法。
【請求項３０】
ロケーション・サービスをサポートするための装置であって、
ハンドオーバが完了した後に、ロケーション及びルーティング機能（ＬＲＦ）においてユーザ機器（ＵＥ）のターゲット・サービング・ノードの識別情報を受信するための手段、前記ＵＥが、第１の無線アクセス・ネットワーク（ＲＡＮ）から第２のＲＡＮへの前記ハンドオーバを実行し、前記ＵＥが、前記ハンドオーバより前に前記第１のＲＡＮを介してソース・サービング・ノードによってサービスされ、前記ハンドオーバ後に前記第２のＲＡＮを介して前記ターゲット・サービング・ノードによってサービスされる、と、
前記ハンドオーバ後に前記ＵＥのロケーション・サービスをサポートするためのターゲット・ロケーション・サーバを判断するための手段と、
を備える装置。
【請求項３１】
前記ターゲット・サービング・ノードの前記識別情報が前記ターゲット・ロケーション・サーバから受信される請求項３０に記載の装置。
【請求項３２】
前記ソース・ロケーション・サーバから前記ＵＥの識別情報を受信するための手段と、
前記ＵＥの前記識別情報を前記ＬＲＦから前記ターゲット・ロケーション・サーバに転送するための手段と、
をさらに備える請求項３０に記載の装置。
【請求項３３】
前記ターゲット・サービング・ノードの前記識別情報に基づいて前記ＵＥのロケーション・セッションを開始するための手段をさらに備える請求項３０に記載の装置。
【請求項３４】
ロケーション・サービスを取得する方法であって、
ユーザ機器（ＵＥ）によって第１の無線アクセス・ネットワーク（ＲＡＮ）から第２のＲＡＮへのハンドオーバを実行すること、前記ＵＥが、前記ハンドオーバより前に前記第１のＲＡＮを介してソース・サービング・ノードによってサービスされ、前記ハンドオーバ後に前記第２のＲＡＮを介してターゲット・サービング・ノードによってサービスされ、前記ハンドオーバ後に前記ＵＥのロケーション・サービスをサポートするために、前記ハンドオーバが完了した後に、前記ターゲット・サービング・ノードの識別情報がロケーション・サーバに送信される、と、
前記ハンドオーバ前に前記第１のＲＡＮを介して前記ＵＥによってロケーション・サービスを取得することと、
前記ハンドオーバ後に前記第２のＲＡＮを介して前記ＵＥによってロケーション・サービスを取得することと、
を備える方法。
【請求項３５】
緊急呼のために、前記ハンドオーバより前に前記第１のＲＡＮと通信し、前記ハンドオーバ後に前記第２のＲＡＮと通信することをさらに備える請求項３４に記載の方法。
【請求項３６】
前記ハンドオーバ後に前記第２のＲＡＮを介して前記ＵＥによってロケーション・サービスを前記取得することが、
前記ターゲット・サービング・ノードの前記識別情報に基づいて前記ハンドオーバ後に開始されるロケーション・セッションのためのメッセージを交換すること
を備える請求項３４に記載の方法。
【請求項３７】
前記ＵＥが、前記ハンドオーバより前にユーザ・プレーン・ロケーション・ソリューションを介してロケーション・サービスを取得し、前記ハンドオーバ後にコントロール・プレーン・ロケーション・ソリューションを介してロケーション・サービスを取得する請求項３４に記載の方法。
【請求項３８】
前記ＵＥが、前記ハンドオーバより前にコントロール・プレーン・ロケーション・ソリューションを介してロケーション・サービスを取得し、前記ハンドオーバ後にユーザ・プレーン・ロケーション・ソリューションを介してロケーション・サービスを取得する請求項３４に記載の方法。
【請求項３９】
ロケーション・サービスを取得するための装置であって、
ユーザ機器（ＵＥ）によって第１の無線アクセス・ネットワーク（ＲＡＮ）から第２のＲＡＮへのハンドオーバを実行するための手段、前記ＵＥが、前記ハンドオーバより前に前記第１のＲＡＮを介してソース・サービング・ノードによってサービスされ、前記ハンドオーバ後に前記第２のＲＡＮを介してターゲット・サービング・ノードによってサービスされ、前記ハンドオーバ後に前記ＵＥのロケーション・サービスをサポートするために、前記ハンドオーバが完了した後に、前記ターゲット・サービング・ノードの識別情報がターゲット・ロケーション・サーバに送信される、と、
前記ハンドオーバ前に前記第１のＲＡＮを介して前記ＵＥによってロケーション・サービスを取得するための手段と、
前記ハンドオーバ後に前記第２のＲＡＮを介して前記ＵＥによってロケーション・サービスを取得するための手段と、
を備える装置。
【請求項４０】
前記ハンドオーバ後に前記第２のＲＡＮを介して前記ＵＥによってロケーション・サービスを取得するための前記手段が、
前記ターゲット・サービング・ノードの前記識別情報に基づいて前記ハンドオーバ後に開始されるロケーション・セッションのためのメッセージを交換するための手段
を備える請求項３９に記載の装置。
【請求項４１】
ロケーション・サービスを取得するための装置であって、
ユーザ機器（ＵＥ）によって第１の無線アクセス・ネットワーク（ＲＡＮ）から第２のＲＡＮへのハンドオーバを実行すること、前記ＵＥが、前記ハンドオーバより前に前記第１のＲＡＮを介してソース・サービング・ノードによってサービスされ、前記ハンドオーバ後に前記第２のＲＡＮを介してターゲット・サービング・ノードによってサービスされ、前記ハンドオーバ後に前記ＵＥのロケーション・サービスをサポートするために、前記ハンドオーバが完了した後に、前記ターゲット・サービング・ノードの識別情報がターゲット・ロケーション・サーバに送信される、と、
前記ハンドオーバ前に前記第１のＲＡＮを介して前記ＵＥによってロケーション・サービスを取得することと、
前記ハンドオーバ後に前記第２のＲＡＮを介して前記ＵＥによってロケーション・サービスを取得することと、
を行うように構成された少なくとも１つのプロセッサを備える装置。
【請求項４２】
前記少なくとも１つのプロセッサが、前記ターゲット・サービング・ノードの前記識別情報に基づいて前記ハンドオーバ後に開始されるロケーション・セッションのためのメッセージを交換するようにさらに構成された請求項４１に記載の装置。
【請求項４３】
少なくとも１つのコンピュータに、ユーザ機器（ＵＥ）によって第１の無線アクセス・ネットワーク（ＲＡＮ）から第２のＲＡＮへのハンドオーバを実行させるためのコード、前記ＵＥが、前記ハンドオーバより前に前記第１のＲＡＮを介してソース・サービング・ノードによってサービスされ、前記ハンドオーバ後に前記第２のＲＡＮを介してターゲット・サービング・ノードによってサービスされ、前記ハンドオーバ後に前記ＵＥのロケーション・サービスをサポートするために、前記ハンドオーバが完了した後に、前記ターゲット・サービング・ノードの識別情報がターゲット・ロケーション・サーバに送信される、と、
前記少なくとも１つのコンピュータに、前記ハンドオーバ前に前記第１のＲＡＮを介して前記ＵＥによってロケーション・サービスを取得させるためのコードと、
前記少なくとも１つのコンピュータに、前記ハンドオーバ後に前記第２のＲＡＮを介して前記ＵＥによってロケーション・サービスを取得させるためのコードと
を備える非一時的なコンピュータ可読の記憶媒体。
【請求項４４】
ロケーション・サービスをサポートする方法であって、
第１の無線アクセス・ネットワーク（ＲＡＮ）から第２のＲＡＮへのユーザ機器（ＵＥ）のハンドオーバが完了した後に、ロケーション及びルーティング機能（ＬＲＦ）によって、ハンドオーバ情報を受信すること、前記ＵＥが、前記ハンドオーバより前に前記第１のＲＡＮを介してソース・サービング・ノードによってサービスされ、前記ハンドオーバ後に前記第２のＲＡＮを介してターゲット・サービング・ノードによってサービスされ、前記ハンドオーバ情報は、ＵＥ識別情報とターゲット・サービング・ノード識別情報とを含む、と、
ソース・ロケーション・サーバがターゲット・ロケーション・サーバとは異なる場合、前記ＬＲＦから前記ソース・ロケーション・サーバを除去することと、
を備える、方法。
【請求項４５】
前記ＬＲＦによって、前記ハンドオーバ情報を前記ターゲット・ロケーション・サーバに供給することを備える、請求項４４に記載の方法。
【請求項４６】
前記完了したハンドオーバは、緊急呼のものである、請求項４４に記載の方法。